(57)【要約】【課題】適正な光量でメインビーム又はサイドビームを光ディスクに照射することが可能な光ディスク装置、レーザー光調整方法及びプログラムを提供すること。【解決手段】１の発光部１１２から照射されたレーザー光から分割され、光ディスクで反射した１のメインビームと複数のサブビームを受光する受光部１２０と、受光部におけるメインビームの光量とサイドビームの光量の光量比を算出する光量比算出部１５２と、光量比に基づいて発光部から照射されるレーザー光の総光量の出力設定値を変更する出力設定値変更部１５４とを備えることを特徴とする。【選択図】図１
2009181606.tif 000002
【特許請求の範囲】
【請求項１】
１の発光部から照射されたレーザー光から分割され、光ディスクで反射した１のメインビームと複数のサブビームを受光する受光部と、
前記受光部における前記メインビームの光量と前記サイドビームの光量の光量比を算出する光量比算出部と、
前記光量比に基づいて前記発光部から照射される前記レーザー光の総光量の出力設定値を変更する出力設定値変更部と、
を備えることを特徴とする、光ディスク装置。
【請求項２】
前記光量比算出部は、前記光量比をもとに、前記メインビームと前記サイドビームの出力比を算出する出力比算出部を備え、
前記出力設定値変更部は、前記出力比に基づいて、予め規定された前記メインビームの出力値又は前記サイドビームの出力値となるように、前記レーザー光の総光量の前記出力設定値を変更することを特徴とする、請求項１に記載の光ディスク装置。
【請求項３】
前記出力設定値変更部は、前記出力比に基づいて、
前記光ディスクのデータを再生するとき、予め規定された前記メインビームの出力値又は前記サイドビームの出力値となるように前記レーザー光の総光量の前記出力設定値を変更することを特徴とする、請求項２に記載の光ディスク装置。
【請求項４】
前記出力設定値変更部は、前記出力比に基づいて、
前記光ディスクにデータを記録するとき、予め規定された前記メインビームの出力値又は前記サイドビームの出力値となるように前記レーザー光の総光量の前記出力設定値を変更することを特徴とする、請求項２に記載の光ディスク装置。
【請求項５】
１の発光部から照射されたレーザー光から分割され、光ディスクで反射した１のメインビームと複数のサイドビームを受光する受光部と、
前記受光部における前記メインビームの光量又は前記サイドビームの光量を検出する光量検出部と、
前記メインビームの光量又は前記サイドビームの光量に基づいて、予め規定された前記メインビームの出力値又は前記サイドビームの出力値となるように、前記発光部から照射される前記レーザー光の総光量の出力設定値を変更する出力設定値変更部と、
を備えることを特徴とする、光ディスク装置。
【請求項６】
１の発光部から照射されたレーザー光から分割され、光ディスクで反射した１のメインビームと複数のサブビームを受光するステップと、
前記メインビームの光量と前記サイドビームの光量の光量比を算出するステップと、
前記光量比に基づいて前記発光部から照射される前記レーザー光の総光量の出力設定値を変更するステップと、
を備えることを特徴とする、レーザー光調整方法。
【請求項７】
前記出力設定値を変更するステップは、
前記光量比をもとに、前記メインビームと前記サイドビームの出力比を算出するステップと、
前記出力比に基づいて、予め規定された前記メインビームの出力値又は前記サイドビームの出力値となるように、前記レーザー光の総光量の前記出力設定値を変更するステップと、
を備えることを特徴とする、請求項６に記載のレーザー光調整方法。
【請求項８】
１の発光部から照射されたレーザー光から分割され、光ディスクで反射した１のメインビームと複数のサイドビームを受光するステップと、
前記メインビームの光量又は前記サイドビームの光量を検出するステップと、
前記メインビームの光量又は前記サイドビームの光量に基づいて、予め規定された前記メインビームの出力値又は前記サイドビームの出力値となるように、前記発光部から照射される前記レーザー光の総光量の出力設定値を変更するステップと、
を備えることを特徴とする、レーザー光調整方法。
【請求項９】
１の発光部から照射されたレーザー光から分割され、光ディスクで反射し、受光部で受光された１のメインビームの光量と複数のサブビームの光量の光量比を算出する手段、
前記光量比に基づいて前記発光部から照射される前記レーザー光の総光量の出力設定値を変更する手段、
をコンピュータに実行させるためのプログラム。
【請求項１０】
１の発光部から照射されたレーザー光から分割され、光ディスクで反射し、受光部で受光された１のメインビームの光量と複数のサイドビームの光量を検出する手段、
前記メインビームの光量又は前記サイドビームの光量に基づいて、予め規定された前記メインビームの出力値又は前記サイドビームの出力値となるように、前記発光部から照射される前記レーザー光の総光量の出力設定値を変更する手段、
をコンピュータに実行させるためのプログラム。
【発明の詳細な説明】
【技術分野】
【０００１】
本発明は、光ディスク装置、レーザー光調整方法及びプログラムに関する。
【背景技術】
【０００２】
光ピックアップ装置におけるレーザー光出力の調整は、単一ビームが出力される場合、通常、光ピックアップ装置の対物レンズに光量測定装置を設置し、光量測定装置が光量を測定することにより行なわれる。一方、ＤＰＰ（差動プッシュプル）方式や３ビーム方式等によるサーボ誤差検出のため複数ビームが出力される場合、記録又は再生のためのメインビームの出力を調整する必要がある。メインビームの出力を調整する場合、回折格子等で複数ビームが生成される前の発光部から出力されたレーザー光の総光量を測定するよりも、対物レンズから照射される複数ビームの総光量を測定することが容易である。対物レンズから照射される複数ビームの総光量を測定するため、メインビームの出力が規定値となるように調整するには、回折格子等における設計時の分割光量比に基づいて、レーザー光の総光量を調整することにより行なわれる。
【０００３】
特許文献１には、メインビームよりも先行して光ディスクに照射されるサブビームの反射光の状態によって光ディスクの状態を検出し、光ディスクの状態に応じたレーザー光の出力を制御する技術が開示されている。
【０００４】
【特許文献１】特開平１０−４０５６５号公報
【発明の開示】
【発明が解決しようとする課題】
【０００５】
ところで、上述のように、回折格子等における分割光量比の設計値に基づいてメインビームの出力値を算出して分割前のレーザー光の出力を調整する場合、製造上などのばらつきによって実際の分割光量比にばらつきがあると、実際のメインビームやサイドビームの出力は規定値とならないという問題があった。
【０００６】
例えば、分割光量比の設計値が「メインビーム76.8％、サイドビーム8.6％×２本、その他４％」であって、メインビームの出力を0.768ｍＷにしたい場合、分割光量比の設計値に基づけば、分割前のレーザー光の総光量が1.0ｍＷになるように調整すればよい。しかし、実際の分割光量比が「メインビーム80％、サイドビーム８％×２本、その他４％」であった場合、上記の分割光量比の設計値に基づいて分割前のレーザー光の総光量が1.0ｍＷになるように調整すると、メインビームの出力は0.8ｍＷになってしまう。そのため、メインビームの出力を0.768ｍＷにしようとしても、分割光量比の設計値に基づく限り、規定の出力値を得られない。
【０００７】
そして、レーザー光から分割されたメインビームとサイドビームの出力比が規定値とずれた場合、種々の問題が生じる。例えば、（１）メインビームの出力が規定値より大きくなった場合、記録済みのディスクを繰り返し再生すると、光ディスク上の記録部を劣化させてしまうという問題があった。一方、（２）メインビームの出力が規定値より小さくなった場合、再生信号の品質が低下するという問題があった。
また、（３）サイドビームの出力が規定値より大きくなった場合、記録時にサイドビームでも光ディスクにデータの書込みが可能となってしまい、記録動作安定性と記録品質が低下するという問題があった。一方、（４）サイドビームの出力が規定値より小さくなった場合、例えばＤＰＰ方式においてサーボエラー信号のＳ／Ｎ比が悪化し、動作安定性が低下するという問題があった。
【０００８】
そこで、本発明は、上記問題に鑑みてなされたものであり、本発明の目的とするところは、適正な光量でメインビーム又はサイドビームを光ディスクに照射することが可能な、新規かつ改良された光ディスク装置、レーザー光調整方法及びプログラムを提供することにある。
【課題を解決するための手段】
【０００９】
上記課題を解決するために、本発明のある観点によれば、１の発光部から照射されたレーザー光から分割され、光ディスクで反射した１のメインビームと複数のサブビームを受光する受光部と、受光部におけるメインビームの光量とサイドビームの光量の光量比を算出する光量比算出部と、光量比に基づいて発光部から照射されるレーザー光の総光量の出力設定値を変更する出力設定値変更部とを備えることを特徴とする光ディスク装置が提供される。
【００１０】
かかる構成により、受光部は、１の発光部から照射されたレーザー光から分割され、光ディスクで反射した１のメインビームと複数のサブビームを受光し、光量比算出部は、受光部におけるメインビームの光量とサイドビームの光量の光量比を算出し、出力設定値変更部は、光量比に基づいて発光部から照射されるレーザー光の総光量の出力設定値を変更する。その結果、実際のメインビームとサイドビームの分割光量比が分かるため、適正な光量でメインビーム又はサイドビームを光ディスクに照射することができる。
【００１１】
上記光量比算出部は、光量比をもとに、メインビームとサイドビームの出力比を算出する出力比算出部を備え、出力設定値変更部は、出力比に基づいて、予め規定されたメインビームの出力値又はサイドビームの出力値となるように、レーザー光の総光量の出力設定値を変更してもよい。
かかる構成により、光量比から算出される出力比に基づいて、予め規定されたメインビームの出力値又はサイドビームの出力値となるように、レーザー光の総光量の出力設定値を変更できる。
【００１２】
上記出力設定値変更部は、出力比に基づいて、光ディスクのデータを再生するとき、予め規定されたメインビームの出力値又はサイドビームの出力値となるようにレーザー光の総光量の出力設定値を変更してもよい。
かかる構成により、光ディスクのデータを再生する際、メインビームの出力値又はサイドビームの出力値を増加させたり低減させたりすることができる。
【００１３】
上記出力設定値変更部は、出力比に基づいて、光ディスクにデータを記録するとき、予め規定されたメインビームの出力値又はサイドビームの出力値となるようにレーザー光の総光量の出力設定値を変更してもよい。
かかる構成により、光ディスクにデータを記録する際、メインビームの出力値又はサイドビームの出力値を増加させたり低減させたりすることができる。
【００１４】
また、上記課題を解決するために、本発明の別の観点によれば、１の発光部から照射されたレーザー光から分割され、光ディスクで反射した１のメインビームと複数のサイドビームを受光する受光部と、受光部におけるメインビームの光量又はサイドビームの光量を検出する光量検出部と、メインビームの光量又はサイドビームの光量に基づいて、予め規定されたメインビームの出力値又はサイドビームの出力値となるように、発光部から照射されるレーザー光の総光量の出力設定値を変更する出力設定値変更部とを備えることを特徴とする光ディスク装置が提供される。
【００１５】
かかる構成により、受光部は、１の発光部から照射されたレーザー光から分割され、光ディスクで反射した１のメインビームと複数のサイドビームを受光し、光量検出部は、受光部におけるメインビームの光量又はサイドビームの光量を検出し、出力設定値変更部は、メインビームの光量又はサイドビームの光量に基づいて、予め規定されたメインビームの出力値又はサイドビームの出力値となるように、発光部から照射されるレーザー光の総光量の出力設定値を変更する。その結果、実際のメインビームとサイドビームの分割光量比が分かるため、適正な光量でメインビーム又はサイドビームを光ディスクに照射することができる。
【発明の効果】
【００１６】
本発明によれば、適正な光量でメインビーム又はサイドビームを光ディスクに照射することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、本発明の一実施形態に係る光ディスク装置１００の構成について説明する。図１は、本発明の一実施形態に係る光ディスク装置を示すブロック図である。
【００１９】
光ディスク装置１００は、光ディスク１０にデータの記録をしたり、光ディスク１０に記録されたデータの再生をしたりする。図１に示すように、本実施形態に係る光ディスク装置１００は、スピンドルモータ１０２と、サーボ制御部１０４と、アクチュエータ１０６と、光ピックアップ１１０と、レーザー制御部１３０と、信号処理部１３２と、コントローラ１５０などを有する。ここで、光ディスク１０は、光記録媒体の一例であり、例えばＣＤ、ＤＶＤ、Ｂｌｕ−ｒａｙ  Ｄｉｓｃなどである。
【００２０】
スピンドルモータ１０２は、光ディスク１０を回転駆動する。スピンドルモータ１０２は、サーボ制御部１０４からサーボ信号を受けて、光ディスク装置１００のスピンドルに載置された光ディスク１０を回転駆動する。
サーボ制御部１０４は、スピンドルモータ１０２や光ピックアップ１１０を駆動するアクチュエータ１０６に対してサーボ制御を行う。サーボ制御部１０４は、信号処理部１３２やコントローラ１５０から信号を受け、スピンドルモータ１０２やアクチュエータ１０６にサーボ信号を送る。
【００２１】
アクチュエータ１０６は、例えば、２軸アクチュエータ、３軸アクチュエータなどであり、光ピックアップ１１０のフォーカシング制御、トラッキング制御、チルト制御が可能である。アクチュエータ１０６は、サーボ制御部１０４からサーボ信号を受け、対物レンズ１１８を駆動し、光ピックアップ１１０から照射するレーザー光を、フォーカシング方向、トラックキング方向、チルト方向に制御する。
【００２２】
光ピックアップ１１０は、光ディスク１０にレーザー光を照射したり、光ディスク１０で反射したレーザー光の反射光を受光したりする。光ピックアップ１１０は、レーザー光を発光する発光部１１２と、反射光を受光する受光部１２０などからなる（図２参照）。光ピックアップ１１０の更に詳しい構成については後述する。光ピックアップ１１０は、アクチュエータ１０６によってフォーカシング方向、トラックキング方向、チルト方向に制御されたレーザー光を照射する。また、光ピックアップ１１０は、レーザー制御部１３０によって制御された出力値に基づいてレーザー光を照射する。
【００２３】
なお、本実施形態では、光ピックアップ１１０は、発光部１１２から出力されたレーザー光が分岐されて、１のメインビームと２のサイドビームからなる複数のビームが光ディスク１０に照射される。複数ビームが照射されることによって、メインビームが再生信号の読み取りに用いられ、メインビームとサイドビームがサーボ制御に用いられるため、例えば、ＤＰＰ（差動プッシュプル）方式や３ビーム方式等によるサーボ誤差検出が可能である。
【００２４】
レーザー制御部１３０は、光ピックアップ１１０から照射されるレーザー光の出力制御をする。レーザー制御部１３０は、コントローラ１５０で決定された出力値のデータをコントローラ１５０から受けて、光ピックアップ１１０に駆動信号を送る。
【００２５】
信号処理部１３２は、光ピックアップ１１０から電気信号を受けて、再生信号を生成したり、サーボ制御のためのサーボ信号等を生成したりする信号処理をした後、サーボ制御部１０４又はコントローラ１５０に処理済みの信号を送る。
【００２６】
コントローラ１５０は、信号処理部１３２からの信号を受けて、該信号に基づいて光ピックアップ１１０を制御するレーザー制御部１３０やサーボ制御部１０４を制御する。コントローラ１５０は、例えば、出力比算出部１５２や出力設定値変更部１５４等を有する。
【００２７】
出力比算出部１５２は、例えば、受光部１２０におけるメインビームの光量とサイドビームの光量を信号処理部１３２から受けて、メインビームの光量とサイドビームの光量の光量比を算出する。更に、出力比算出部１５２は、光量比をもとに、メインビームとサイドビームの出力比を算出する。
光量比からの出力比の算出は、光ピックアップ１１０の特性によるメインビーム又はサイドビームの光量減少などが考慮される。光量比と出力比は等しいとしてもよい。これにより、本実施形態では、光ピックアップ１１０の設計上の分割光量比ではなく、実際の分割光量比を知ることができる。
【００２８】
出力設定値変更部１５４は、出力比算出部１５２で算出された出力比（又は光量比）に基づいて光ピックアップ１１０の発光部１１２から照射されるレーザー光の総光量の出力設定値を変更する。
【００２９】
例えば、予め設定された出力設定値による総光量でレーザー光を光ディスク１０に照射した後、出力比算出部１５２が出力比を算出する。そして、出力設定値変更部１５４は、出力比に基づいて、光ディスク１０のデータを再生するとき、予め規定されたメインビームの出力値となるようにレーザー光の総光量の出力設定値を変更し、光ディスク１０にデータを記録するとき、予め規定されたサイドビームの出力値となるようにレーザー光の総光量の出力設定値を変更する。
【００３０】
反対に、出力設定値変更部１５４は、出力比に基づいて、光ディスクのデータを再生するとき、予め規定されたサイドビームの出力値となるようにレーザー光の総光量の出力設定値を変更し、光ディスク１０にデータを記録するとき、予め規定されたメインビームの出力値となるようにレーザー光の総光量の出力設定値を変更するとしてもよい。
【００３１】
これにより、再生時にメインビームの出力が高くなっている場合、メインビームの出力値を低くすることができ、記録済みの光ディスク１０の繰り返し再生による劣化を防ぐことができる。一方、再生時にメインビームの出力が低い場合、メインビームの出力値を高めることかでき、再生信号の品質を向上させることができる。
また、記録時にサイドビームの出力が高くなっている場合、サイドビームの出力値を低くすることができ、サイドビームによる光ディスク１０へのデータ書込みを防止し、記録動作安定性と記録品質を向上させることができる。
【００３２】
また、再生時や記録時にサイドビームの出力が低い場合、サイドビームの出力値を高めることができ、例えばＤＰＰ方式においてサーボエラー信号のＳ／Ｎ比を改善し、動作安定性を向上させることができる。更に、記録時にメインビームの出力が高くなっている場合、メインビームの出力値を低くすることができ、光ディスク１０への適切な値でのデータの書込みを行うことができる。一方、記録時にメインビームの出力が低い場合、メインビームの出力値を高めることができ、光ディスク１０へのデータの書込みを安定して行うことができる。
【００３３】
次に、図２〜図４を参照して、本実施形態の光ピックアップ１１０について説明する。図２は、本実施形態に係る光ディスク装置の光ピックアップを示す説明図である。図３は、本実施形態に係る光ピックアップの回折格子を示す説明図である。図４は、本実施形態に係る光ピックアップの受光部を示す説明図である。
【００３４】
光ピックアップ１１０は、レーザー光を発する発光部１１２と、レーザー光を透過、分岐させる回折格子１１４と、立ち上げミラー１１６と、レーザー光を受ける受光部１２０と、光ディスク１０に対向し、レーザー光を透過させる対物レンズ１１８とを有する。対物レンズ１１８はフォーカス方向及びトラッキング方向などに駆動される。
【００３５】
発光部１１２は、例えばレーザーダイオード（ＬＤ）であり、レーザー制御部１３０によって設定された出力値でレーザー光を照射する。発光部１１２は、光ディスク１０にレーザー光が到達するように、立ち上げミラー１１６に向けてレーザー光を発光する。
【００３６】
回折格子１１４は、入射されるレーザー光を複数のビームに分岐して光を出力する。例えば、回折格子１１４は、図３に示すような断面を有しており、回折光として複数のビームを生成する。ここで、０次回折光はメインビームであり、＋１次又は−１次回折光はサイドビームである。＋２次又は−２次以上の回折光は通常光ディスクの再生又は記録には使用されない。
【００３７】
立ち上げミラー１１６は、発光部１１２側に傾斜面が形成されており、発光部１１２から発光されたレーザー光の大部分を９０°反射させて、光ディスク１０の方向へレーザー光を導く。また、立ち上げミラー１１６は、光ディスク１０で反射した反射光を透過させて、受光部１２０の方向へレーザー光を導く。
【００３８】
対物レンズ１１８は、光ディスク１０に対向するように配置され、レーザー光を光ディスク１０に導く。なお、図２では、１のレンズからなる光学系について図示しているが、実際の光学系は、コリメータレンズ等の光学系や、複数枚からなる対物レンズ等から構成される。
【００３９】
受光部１２０は、例えば、光電変換素子、フォトダイオード（ＰＤ）等を有する回路であり、受光部１２０は、図４に示すように、複数の受光素子１２２、１２４、１２６を有する。受光部１２０は、光ディスク１０で反射した反射光を受光する。受光部１２０は、受光した光を電気信号に変換し、この電気信号を信号処理部１３２に送る。
【００４０】
次に、ＤＰＰ方式におけるサーボ誤差検出で用いられる信号の生成について説明する。図５は、本実施形態に係る光ピックアップから照射されたメインビーム及びサイドビームが光ディスク上にスポットを形成している状態を示す説明図である。図６は、本実施形態に係る光ディスク装置の受光部及び信号処理部を示す説明図である。
【００４１】
図５に示すように、本実施形態では、例えばサーボ誤差検出方式としてＤＰＰ法を採用する。光ピックアップ１１０の回折格子１１４によって、０次回折光であるメインビームと、＋１次回折光および−１次回折光である２つのサイドビームが発生する。メインビームは記録トラック１２を照射し、２つのサイドビームは、記録トラックの両脇をそれぞれ照射する。メインビームの照射によって、光ディスク１０上にメインスポット２２が形成され、サイドビームの照射によって、光ディスク１０上にサイドスポットＡ２４、サイドスポットＢ２６が形成される。
【００４２】
図４や図６に示すように、受光部１２０はメインビーム及びサイドビームそれぞれを受光する受光素子１２２、１２４、１２６を有する。それぞれの受光素子１２２、１２４、１２６は記録トラックの接線方向と平行な方向に２分割される。そして、受光素子１２２で受光されたメインスポット２２は、メインスポット２２ａ、２２ｂに分けられる。メインスポット２２ａ、２２ｂは、受光素子１２２に形成された２つの領域でそれぞれ受光される。
また、受光素子１２４、１２６で受光されたサイドスポットＡ２４、サイドスポットＢ２６は、それぞれサイドスポットＡ２４ａ、２４ｂ、サイドスポットＢ２６ａ、２６ｂに分けられる。サイドスポットＡ２４ａ、２４ｂ、サイドスポットＢ２６ａ、２６ｂは、受光素子１２４、１２６に形成された２つの領域でそれぞれ受光される。受光素子１２２、１２４、１２６の各領域で受光された光は電気信号に変換され、電気信号は信号処理部１３２に送られる。
【００４３】
信号処理部１３２は、図６に示すような演算器を有しており、演算器は、加算器１３３、１３４、１３５、１３６と、減算器１３７、１３８、１４０と、乗算器１３９からなる。
【００４４】
演算器の減算器１３７は、受光素子１２２の分割された領域の出力の差分によって、メインビームのプッシュプル信号を生成する。加算器１３４、１３５は、受光素子１２４、１２６の分割された領域の出力を加算し、更に減算器１３８が加算器１３４、１３５で加算された結果の差分によって、サイドビームのプッシュプル信号を生成する。
乗算器１３９は、メインビームとサイドビームの光量比で決定される定数ｋをサイドビームのプッシュプル信号に乗算する。更に減算器１４０は、メインビームのプッシュプル信号と乗算器１３９で生成されたサイドビームのプッシュプル信号との差分によってＤＰＰ信号を生成する。
【００４５】
また、加算器１３３は、メインビームの反射光を受光する受光素子１２２の分割された領域の出力を加算することによって、記録トラックに記録されたピット列に対応した信号であるメインビーム加算信号（ＲＦ信号）を生成する。更に、加算器１３６は、加算器１３４、１３５で加算された結果を加算することによって、サイドビーム加算信号を生成する。
【００４６】
なお、光ディスク装置１００における一連の処理は、ハードウェアで処理してもよいし、コンピュータ上のプログラムによるソフトウェア処理で実現してもよい。
【００４７】
次に、本発明の一実施形態に係る光ディスク装置１００の動作について説明する。
【００４８】
まず、光ディスク１０へのデータの書き込み、光ディスク１０に記録されたデータの読み取りに関わらず、光ピックアップ１１０の発光部１１２から所定の出力設定値でレーザー光を光ディスク１０に向けて照射する。発光部１１２から照射されたレーザー光は、回折格子１１４で分岐され、複数のビーム、例えばメインビーム、２つのサイドビームが生成される。
【００４９】
生成されたメインビーム及びサイドビームは、光ディスク１０に照射され、光ディスク１０で反射される。次に、光ディスク１０で反射した反射光は、受光部１２０に導かれ、受光部１２０は光ディスク１０で反射したメインビーム、サイドビームを受光する。そして、受光部１２０で受光されたメインビーム、サイドビームに基づいて、それぞれの光量を検出し、コントローラ１５０の出力比算出部１５２で、メインビームとサイドビームの出力比を算出する。
【００５０】
次に、再生モード又は記録モードに応じて、メインビームの出力又はサイドビームの出力が規定の出力値よりも高い又は低いときは、規定の出力値となるように、出力比算出部１５２で算出された出力比に基づいて、出力設定値変更部１５４が発光部１１２から照射されるレーザー光の出力設定値を変更する。
【００５１】
そして、レーザー制御部１３０は、出力設定値変更部１５４で変更された出力設定値を受け、光ピックアップ１１０は、変更された出力設定値でレーザー光を照射する。
【００５２】
本実施形態によれば、回折格子１１４の設計上の分割光量比が実際の分割光量比とずれている場合でも、実際に測定されたメインビームとサイドビームの光量比に基づいて、レーザー光を出力するため、メインビームとサイドビームを設計値からずれることなく光ディスク１０に照射することができる。
その結果、適正な値を有するメインビーム、サイドビームとなるため、光ディスク１０の繰り返し再生による耐久性を向上させることができ、サイドビームによる光ディスク１０へのデータの書き込みを防止することができる。また、再生信号の品質や、サーボ安定性低下を抑制することもできる。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５４】
【図１】本発明の一実施形態に係る光ディスク装置を示すブロック図である。
【図２】同実施形態に係る光ディスク装置の光ピックアップを示す説明図である。
【図３】同実施形態に係る光ピックアップの回折格子を示す説明図である。
【図４】同実施形態に係る光ピックアップの受光部を示す説明図である。
【図５】同実施形態に係る光ピックアップから照射されたメインビーム及びサイドビームが光ディスク上にスポットを形成している状態を示す説明図である。
【図６】同実施形態に係る光ディスク装置の受光部及び信号処理部を示す説明図である。
【符号の説明】
【００５５】
１０      光ディスク
１００      光ディスク装置
１０２      スピンドルモータ
１０４      サーボ制御部
１０６      アクチュエータ
１１０      光ピックアップ
１１２      発光部
１１４      回折格子
１１６      立ち上げミラー
１１８      対物レンズ
１２０      受光部
１３０      レーザー制御部
１３２      信号処理部
１３３、１３４、１３５、１３６      加算器
１３７、１３８、１４０      減算器
１３９      乗算器
１５０      コントローラ
１５２      出力比算出部
１５４      出力設定値変更部
【図１】
2009181606.tif 000003
【図２】
2009181606.tif 000004
【図３】
2009181606.tif 000005
【図４】
2009181606.tif 000006
【図５】
2009181606.tif 000007
【図６】
2009181606.tif 000008